(57)【要約】【課題】寝具Ｂを簡単に出し入れする。【解決手段】長方形の表布１１と裏布とを重ね合わせ、左右の長辺側と一方の短辺側とを閉鎖し、他方の短辺側を開放させ、開放する短辺側に折返部１６を設ける。【選択図】図１
0003103808.tif 000002
【実用新案登録請求の範囲】
【請求項１】
長方形の表布と裏布とを重ね合わせ、左右の長辺側と一方の短辺側とを縫い合わせて閉鎖するとともに他方の短辺側を開放させてなり、前記各長辺側には、先端側を閉じる帯状のフリル部を形成し、前記閉鎖する短辺側には、左右の手入れ用の開口部を形成し、前記開放する短辺側には、前記表布、裏布の一方の全幅を内側に折り返す折返部を形成することを特徴とする寝具用の掛包布。
【請求項２】
前記折返部は、前記表布、裏布の一方に縫い付ける別部材として形成することを特徴とする請求項１記載の寝具用の掛包布。
【請求項３】
前記折返部は、前記表布、裏布の一方を延長する同部材として形成することを特徴とする請求項１記載の寝具用の掛包布。
【請求項４】
前記折返部は、前記各フリル部を介して左右の両端部を前記各長辺側に到達させ、前記表布、裏布とともに縫い合わせることを特徴とする請求項１ないし請求項３のいずれか記載の寝具用の掛包布。
【請求項５】
前記表布、裏布は、前記各長辺側、前記閉鎖短辺側において、それぞれの端縁を内側に折り返し、内外の縫い目を介して縫い合わせることを特徴とする請求項１ないし請求項４のいずれか記載の寝具用の掛包布。
【請求項６】
前記外側の縫い目は、前記表布、裏布により隠蔽することを特徴とする請求項５記載の寝具用の掛包布。
【請求項７】
前記開口部は、それぞれ前記フリル部に接することを特徴とする請求項１ないし請求項６のいずれか記載の寝具用の掛包布。
【考案の詳細な説明】
【技術分野】
【０００１】
この考案は、病院、ホテル、介護施設等において殊に便利に使用することができる寝具用の掛包布に関する。
【背景技術】
【０００２】
布団や毛布などの寝具に掛ける掛包布（いわゆる布団カバー）は、長方形の袋状の布材の一辺に沿ってファスナまたは紐を介して開閉する開口部を設け、開口部を通して寝具を内部に収納するように構成されている。ただし、開口部は、表布の中央部に設けることもある。
【０００３】
しかし、ファスナまたは紐付きの開口部は、寝具の出し入れが簡単でない上、自動クリーニング機による多数回のクリーニングに支障を生じることがあるため、改良形の掛包布が提案されている（特許文献１）。このものは、長方形の表布、裏布を重ね合わせ、先端開放の帯状のフリル部を残して左右の長辺側を縫い合わせるとともに、上下の短辺側を開放させ、一方の短辺側には、裏布を延長して折り返す折返部が形成されている。そこで、このものは、上下いずれかの短辺側から寝具を二つ折りにして表布、裏布の間に挿入し、寝具を平らに伸ばして収納した上、折返部を表布上に折り返すことにより一方の短辺側を閉じて使用する。
【特許文献１】実用新案登録第３０８０７０６号公報
【考案の開示】
【考案が解決しようとする課題】
【０００４】
かかる従来技術によるときは、表布、裏布は、左右の長辺側が閉じられているだけであり、上下の短辺側が双方とも開放されているため、表布、裏布の間に収納された寝具の安定性が悪い上、上下の両隅部分が表布、裏布の２枚だけで構成されているため、自動クリーニング機に通す際に支持フックを掛ける両隅部分が損傷し易いという問題があった。
【０００５】
そこで、この考案の目的は、かかる従来技術の問題に鑑み、短辺側の一方を閉鎖するとともに手入れ用の開口部を形成することによって、寝具の出し入れが簡単で安定性もよく、上下の両隅部分を容易に補強することができる寝具用の掛包布を提供することにある。
【課題を解決するための手段】
【０００６】
かかる目的を達成するためのこの考案の構成は、長方形の表布と裏布とを重ね合わせ、左右の長辺側と一方の短辺側とを縫い合わせて閉鎖するとともに他方の短辺側を開放させてなり、各長辺側には、先端側を閉じる帯状のフリル部を形成し、閉鎖する短辺側（以下、閉鎖短辺側という）には、左右の手入れ用の開口部を形成し、開放する短辺側（以下、開放短辺側という）には、表布、裏布の一方の全幅を内側に折り返す折返部を形成することをその要旨とする。
【０００７】
なお、折返部は、表布、裏布の一方に縫い付ける別部材として、または、表布、裏布の一方を延長する同部材として形成することができる。
【０００８】
また、折返部は、各フリル部を介して左右の両端部を各長辺側に到達させ、表布、裏布とともに縫い合わせることができる。
【０００９】
なお、表布、裏布は、各長辺側、閉鎖短辺側において、それぞれの端縁を内側に折り返し、内外の縫い目を介して縫い合わせてもよく、外側の縫い目は、表布、裏布により隠蔽してもよい。
【００１０】
また、開口部は、それぞれフリル部に接するようにしてもよい。
【考案の効果】
【００１１】
かかる考案の構成によるときは、表布、裏布は、左右の長辺側に加えて、一方の短辺側が閉鎖されている上、他方の短辺側も、折返部を内側に折り返して閉じることができるため、表布、裏布の間に収納する寝具の安定性を格段に向上させることができる。なお、寝具は、開放短辺側から表布、裏布の間に挿入し、閉鎖短辺側に形成する左右の開口部から手を差し入れて引っ張り、形を整えることができるから、収納作業が容易である上、表布、裏布の閉鎖短辺側の両隅部分を把持して開放短辺側に引き抜くことにより、表布、裏布の間から簡単に抜き取ることができ、このとき、表布、裏布の両隅部分が内側に引き込まれたり、全体が裏返しになったりしてクリーニングに支障を来たすおそれもない。なお、表布、裏布の上下の両隅部分は、先端側を閉じる帯状のフリル部の上下両端部分に相当するから、たとえば表布、裏布のそれぞれの端縁を内側に折り返して縫い合わせることにより、布材を４重にして必要十分に補強することができる。
【００１２】
折返部は、表布、裏布の一方に縫い付ける別部材としてもよく、一方を延長する同部材としてもよい。前者によれば、同形同大の表布、裏布を使用することができ、後者によれば、折返部を縫い付ける製造上の工程を省略することができる。
【００１３】
折返部は、左右の両端部を表布、裏布とともに縫い合わせることにより、表布、裏布の間に保持され、表布上または裏布上にめくれてしまうおそれがなく、表布、裏布の間に収納する寝具を一層安定に保持することができる。
【００１４】
表布、裏布は、それぞれの端縁を内側に折り返して縫い合わせることにより、仕上り状態の端縁部分を４重に補強することができる。そこで、このように補強された端縁部分は、自動クリーニング機の支持フックを繰り返し掛けても、容易に損傷することがなく、必要十分な耐久性を実現することができる。なお、端縁部分を縫い合わせる内外の縫い目のうち、外側の縫い目を表布、裏布により隠蔽すると、極めて端正な外観を作ることができる。
【００１５】
閉鎖短辺側の左右の開口部は、左右のフリル部に接するように形成することにより、収納した寝具の全体形状を一層容易に正しく整えることができる。開口部に手を入れ、寝具の角隅部を把持して拡げることができるからである。
【考案を実施するための最良の形態】
【００１６】
以下、図面を以って考案の実施の形態を説明する。
【００１７】
寝具用の掛包布は、長方形の表布１１、裏布１２を重ね合わせてなる（図１、図２）。ただし、図２（Ａ）〜（Ｇ）は、それぞれ図１のＸi −Ｘi 線（ｉ＝ａ、ｂ…ｇ）矢視相当拡大断面図である。また、図１、図２には、表布１１、裏布１２の間に収納する毛布、布団などの寝具Ｂが併せて図示されている。
【００１８】
表布１１、裏布１２の左右の長辺側は、それぞれ内側の縫い目１３ａ、外側の縫い目１３ｂ、１３ｃを介して縫い合わされて閉鎖されており（図１、図２（Ｅ））、外側の縫い目１３ｂ、１３ｃを介して先端側を閉じる帯状のフリル部１４が形成されている。ただし、内側の縫い目１３ａ、１３ａは、それぞれ表布１１、裏布１２の全長に及んでおり、したがって、各フリル部１４も、表布１１、裏布１２の各長辺の全長に亘って形成されている。各フリル部１４の先端において、表布１１、裏布１２の各端縁は、それぞれ内側に折り返した上、内外の縫い目１３ｂ、１３ｃを介して縫い合わされており、外側の縫い目１３ｃは、表布１１、裏布１２により隠蔽されている。
【００１９】
表布１１、裏布１２の一方の短辺側は、内外の縫い目１３ｂ、１３ｃを介して縫い合わされ、閉鎖されている（図１、図２（Ａ））。表布１１、裏布１２の各端縁は、それぞれ内側に折り返されており、外側の縫い目１３ｃは、表布１１、裏布１２により隠蔽されている。ただし、このようにして閉鎖する閉鎖短辺側には、左右のフリル部１４、１４に接するようにして、左右の手入れ用の開口部１５、１５が形成されている（図１、図２（Ｂ））。なお、各開口部１５において、表布１１、裏布１２の各端縁は、それぞれ内側に折り返し、縫い目１３ｄを介して解れ止めされている。また、閉鎖短辺側において、各フリル部１４は、表布１１、裏布１２をそれぞれ内側に折り返し、内外の縫い目１３ｂ、１３ｃを介して閉じられている（図１、図２（Ｃ））。なお、外側の縫い目１３ｃは、表布１１、裏布１２により隠蔽されている。
【００２０】
表布１１、裏布１２の他方の短辺側は、表布１１、裏布１２と同幅の別部材からなる折返部１６が表布１１に縫い付けられ（図１、図２（Ｄ））、折返部１６は、表布１１、裏布１２の間に挿入するようにして内側に折り返されている。また、裏布１２は、表布１１から分離して開放短辺側を形成している。表布１１、折返部１６の縫合せ部分は、それぞれの端縁を内側に折り返し、内外の縫い目１３ｂ、１３ｃを介して縫い合わされており、外側の縫い目１３ｃは、表布１１、折返部１６を介して隠蔽されている。また、折返部１６の内側の端縁、開放短辺側の裏布１２の端縁は、それぞれ内側に折り返され、縫い目１３ｄを介して解れ止めされている。
【００２１】
折返部１６の左右の両端部は、それぞれフリル部１４を介して表布１１、裏布１２の長辺側に到達している（図１、図２（Ｆ））。すなわち、折返部１６の端部は、各フリル部１４内において、内側の縫い目１３ａ、外側の縫い目１３ｂ、１３ｃを介して表布１１、裏布１２の間に挟み込むようにして一体に縫い合わされており、その先端は、表布１１とともに内側に折り返され、内側に折り返す裏布１２とともに、内外の縫い目１３ｂ、１３ｃを介して閉じられている。なお、外側の縫い目１３ｃは、表布１１、裏布１２により隠蔽されている。
【００２２】
開放短辺側において、各フリル部１４内の折返部１６の端縁は、表布１１の端縁に対し、縫い目１３ｂ、１３ｃを介して縫い付けられている（図１、図２（Ｇ））。なお、縫い目１３ｂ、１３ｃによる表布１１、折返部１６の縫付け形態、それに併行する裏布１２の端縁の処理形態は、図１、図２（Ｄ）に示す形態と全く同様である。
【００２３】
表布１１、裏布１２の閉鎖短辺側、開放短辺側を図示すると、図３（Ａ）、（Ｂ）のとおりである。ただし、図３（Ａ）、（Ｂ）は、図１を反転して、表布１１を下にし、裏布１２を上にして図示されている。
【００２４】
寝具Ｂは、開放短辺側から表布１１、裏布１２の間に挿入するようにして収納する（図１、図４（Ａ）の各矢印Ａ方向）。なお、このときの折返部１６は、表布１１の内面側に沿って位置し、寝具Ｂは、折返部１６と裏布１２との間に挿入される。ただし、図４（Ａ）、（Ｄ）は、それぞれ開放短辺側の模式断面図であり、同図（Ｂ）、（Ｃ）は、それぞれ閉鎖短辺側の模式斜視図である。
【００２５】
寝具Ｂが閉鎖短辺側の近くにまで挿入されると、一方の手によって表布１１の一部を摘むとともに（図４（Ｂ））、他方の手を一方の開口部１５に差し入れて寝具Ｂを把持し、寝具Ｂを閉鎖短辺側に引っ張るようにしてさらに引き込む。また、他方の開口部１５に手を差し入れて、寝具Ｂの端部が閉鎖短辺側に正しく平行になるように、寝具Ｂの全体形状を整えることができる（同図（Ｃ））。
【００２６】
以上のようにして寝具Ｂの全体が正しく表布１１、裏布１２の間に挿入されたら、開放短辺側において、表布１１の内面側の折返部１６を裏布１２の内面側に移動させ（図４（Ｄ）、図２（Ｄ））、寝具Ｂの収納作業を完了することができる。なお、寝具Ｂは、両方の開口部１５、１５に両手を差し入れて表布１１、裏布１２の間に一挙に引き込んでもよい（図５）。ただし、この場合、表布１１、裏布１２の開放短辺側を別の作業員が把持するものとする。
【００２７】
寝具Ｂを表布１１、裏布１２の間から抜き取るときは、まず、折返部１６を裏布１２の内面側から表布１１の内面側に移動させて寝具Ｂの端部を開放短辺側に露出させた上、閉鎖短辺側の左右の両端部分に相当するフリル部１４、１４を把持して引っ張ることにより（図１の矢印Ａ1 、Ａ1 方向）、寝具Ｂを簡単に抜き取ることができる。また、このとき、表布１１、裏布１２の両隅部分が内側に引き込まれたり、全体が裏返しになったりするおそれがない。
【００２８】
寝具Ｂを抜き取った掛包布を自動クリーニング機に仕掛けるときは、支持フックを図１の矢印Ａ1 、Ａ1 相当の位置に掛ける。この部分は、閉鎖短辺側において表布１１、裏布１２の各端縁をそれぞれ内側に折り返すことにより端縁部分が４重に補強されているため（図２（Ｃ））、支持フックによる損傷を最少に抑えることができる。
【００２９】
以上の説明において、折返部１６は、表布１１を延長し、表布１１と同部材として形成することができる（図６（Ａ））。また、折返部１６は、裏布１２を延長して裏布１２と同部材として形成してもよく（同図（Ｂ））、裏布１２に縫い付ける別部材としてもよい（同図（Ｃ））。すなわち、折返部１６は、表布１１、裏布１２の一方に縫い付ける別部材としてもよく、表布１１、裏布１２の一方を延長する同部材としてもよい。ただし、図６（Ａ）〜（Ｃ）は、それぞれ図４（Ｄ）相当の模式断面図である。
【図面の簡単な説明】
【００３０】
【図１】全体構成平面図
【図２】図１の要部拡大断面説明図
【図３】要部斜視説明図
【図４】使用状態説明図（１）
【図５】使用状態説明図（２）
【図６】他の実施の形態を示す模式断面説明図
【符号の説明】
【００３１】
Ｂ…寝具
１１…表布
１２…裏布
１３ａ〜１３ｄ…縫い目
１４…フリル部
１５…開口部
１６…折返部
実用新案登録出願人      北陸寝装株式会社
代理人  弁理士            松  田  忠  秋
【図１】
0003103808.tif 000003
【図２】
0003103808.tif 000004
【図３】
0003103808.tif 000005
【図４】
0003103808.tif 000006
【図５】
0003103808.tif 000007
【図６】
0003103808.tif 000008